(57)【要約】【課題】高価な空調装置を設けることなく、快適でかつ外部から入り込む音を少なくできるボックスを提供する。【解決手段】通気と防音を兼ね備えるボックス１であって、周囲との間を区画し、複数の開口１５を有する壁部１１と、壁部１１の各開口１５に、外部と内部の空間を連通するように設けられた通気防音部材２０と、を備え、複数の開口１５が壁部１１の上部領域と下部領域に分かれて配置される。また、壁部１１が、その少なくとも一部に、外部に面する第１の壁部１１と、第１の壁部１１との間に間隙を介して併設される内部に面する第２の壁部１１とを含む二重構造を有し、開口１５が第１の壁部１１に設けられた第１の開口１５と、第２の壁部１１に設けられた第２の開口１５と、から構成される【選択図】  図１
2016017379.tif 000002
【特許請求の範囲】
【請求項１】
通気と防音を兼ね備えるボックスであって、
周囲との間を区画し、複数の開口を有する壁部と、
前記壁部の各開口に、外部と内部の空間を連通するように設けられた通気防音部材と、を備え、
前記複数の開口が前記壁部の上部領域と下部領域に分かれて配置されることを特徴とするボックス。
【請求項２】
前記壁部が、その少なくとも一部に、外部に面する第１の壁部と、前記第１の壁部との間に間隙を介して併設される内部に面する第２の壁部とを含む二重構造を有し、
前記開口が前記第１の壁部に設けられた第１の開口と、前記第２の壁部に設けられた第２の開口と、
から構成されることを特徴とする請求項１に記載のボックス。
【請求項３】
前記通気防音部材が、前記第１の壁部を挿通して設けられる第１の通気防音部材と、前記第２の壁部を挿通して設けられる第２の通気防音部材から構成され、
前記第１の通気防音部材と前記第２の通気防音部材が連結されて設けられることを特徴とする請求項２に記載のボックス。
【請求項４】
前記通気防音部材が、中空の筒部と、前記筒部に設けられた拡開部を有し、前記第１の通気防音部材の前記拡開部は、前記第１の壁部に対して外部側に向いており、前記第２の通気防音部材の前記拡開部は、前記第２の壁部に対して外部側に向いて連結されることを特徴とする請求項３に記載のボックス。
【請求項５】
前記通気防音部材が、前記第１の壁部を挿通して設けられる第１の通気防音部材と、前記第２の壁部を挿通して設けられる第２の通気防音部材から構成され、
前記第１の通気防音部材と、前記第２の通気防音部材が互い違いに離間されて設けられることを特徴とする請求項２に記載のボックス。
【請求項６】
前記通気防音部材が、中空の筒部と、前記筒部に設けられた拡開部を有し、前記第１の通気防音部材の前記拡開部は、前記第１の壁部に対して外部側に向いており、前記第２の通気防音部材の前記拡開部は、前記第２の壁部に対して内部側に向いていることを特徴とする請求項５に記載のボックス。
【請求項７】
前記第１の壁部と前記第２の壁部の間に、前記第１の壁部及び前記第２の壁部の一方から他方に向かって、他方とは離間する位置まで伸在する遮蔽板を備えることを特徴とする請求項５又は６に記載のボックス。
【請求項８】
前記下部領域が前記上部領域よりも大きい開口率を有することを特徴とする請求項１ないし７のいずれか１項に記載のボックス。
【請求項９】
前記上部領域と前記下部領域が前記壁部の上下端側よりも中央部側において小さい開口率を有することを特徴とする請求項１ないし８のいずれか１項に記載のボックス。
【請求項１０】
通気と防音を兼ね備えるボックスであって、
周囲との間を区画し、複数の開口を有する天井部と、
前記天井部の各開口に、外部と内部の空間を連通するように設けられた通気防音部材と、を備えることを特徴とするボックス。
【請求項１１】
前記天井部が、その少なくとも一部に、外部に面する第１の天井部と、前記第１の天井部との間に間隙を介して併設される内部に面する第２の天井部とを含む二重構造を有し、
前記開口が前記第１の天井部に設けられた第１の開口と、前記第２の天井部に設けられた第２の開口と、
から構成されることを特徴とする請求項１０に記載のボックス。
【請求項１２】
前記通気防音部材が、前記第１の天井部を挿通して設けられる第１の通気防音部材と、前記第２の天井部を挿通して設けられる第２の通気防音部材から構成され、
前記第１の通気防音部材と前記第２の通気防音部材が連結されて設けられることを特徴とする請求項１１に記載のボックス。
【請求項１３】
前記通気防音部材が、中空の筒部と、前記筒部に設けられた拡開部を有し、前記第１の通気防音部材の前記拡開部は、前記第１の天井部に対して外部側に向いており、前記第２の通気防音部材の前記拡開部は、前記第２の天井部に対して内部側に向いて連結されることを特徴とする請求項１２に記載のボックス。
【請求項１４】
前記通気防音部材が、前記第１の天井部を挿通して設けられる第１の通気防音部材と、前記第２の天井部を挿通して設けられる第２の通気防音部材から構成され、
前記第１の通気防音部材と、前記第２の通気防音部材が互い違いに離間されて設けられることを特徴とする請求項１１に記載のボックス。
【請求項１５】
前記通気防音部材が、中空の筒部と、前記筒部に設けられた拡開部を有し、前記第１の通気防音部材の前記拡開部は、前記第１の天井部に対して外部側に向いており、前記第２の通気防音部材の前記拡開部は、前記第２の天井部に対して外部側に向いていることを特徴とする請求項１４に記載のボックス。
【請求項１６】
前記第１の天井部と前記第２の天井部の間に、前記第１の天井部及び前記第２の天井部の一方から他方に向かって、他方とは離間する位置まで伸在する遮蔽板を備えることを特徴とする請求項１４又は１５に記載のボックス。
【請求項１７】
内部の騒音レベルを外部の騒音レベルから１０〜４０ｄＢ低下させることを特徴とする請求項１ないし１６のいずれか１項に記載のボックス。
【請求項１８】
前記壁部が、その少なくとも一部に、外部から内部を視認できる視認領域を有することを特徴とする請求項１ないし１６のいずれか１項に記載のボックス。
【請求項１９】
前記壁部に設けられたドア部をさらに備え、
前記ドア部が不使用時に前記ドア部を開放状態に維持する付勢部を有することを特徴とする請求項１ないし１６のいずれか１項に記載のボックス。
【請求項２０】
騒音を打ち消す消音装置をさらに備えることを特徴とする請求項１ないし１６のいずれか１項に記載のボックス。
【発明の詳細な説明】
【技術分野】
【０００１】
本発明は、ボックス、特に、通気性及び防音性に優れたボックスに関する。
【背景技術】
【０００２】
近年、公衆電話の利用が減少し、移動中や空いている時間に情報収集を行い、あるいは通話を行う携帯電話の需要が著しく増加している。特に、室内、外出先（例えば、駅の構内、商業施設、レジャー施設等）を問わず、携帯電話による通話が頻繁に行われるようになった。しかしながら、外出先によっては、騒音が大きく、電話による通話が困難な状況に陥る場合がある。また、静かな環境にあっては、携帯電話で通話を行う際、周囲に対する音声漏れを気にするため、通話がしづらい場合がある。
【０００３】
そこで、従来、外部の音を遮断するため、全方向に壁部を設け、密閉空間にすることで快適に通話ができる公衆電話ボックスが設置されている。また、公衆電話は、安全面の観点から内部が確認できるように、壁部やドアに透明板を設置して防犯対策を行っている。
【０００４】
一方、例えば、特許文献１に、遮音性を有する背面用壁部、左、右側用壁部、扉部と床基台部および天井部とから構成され、これらを組み立てて形成される携帯電話用防音ボックスが記載されている。この携帯電話用防音ボックスは、背面用壁部および左、右側用壁部は、床基台部と天井部との間でその上下端が内側より締結可能とされる連結機構を有する。そして、左、右側用壁部の開放側端の周縁には防音パッキンが取り付けられるとともに、該左、右側用壁部の開放側端間には、窓部が取り付けられる扉部が開閉自在な状態で枢着されている。
【先行技術文献】
【特許文献】
【０００５】
【特許文献１】特開２００８−０３８３４２号公報
【発明の概要】
【発明が解決しようとする課題】
【０００６】
しかしながら、上記した公衆電話ボックス、あるいは携帯電話用防音ボックス等のボックスは、室内で快適な通話を楽しむために外部から音が入り込まないことが必要になるが、密閉空間にすると、外部から空気を取り込むことが困難になり、通気性を確保するためにボックス内に高価な空調装置等を設けることが必要になる。また、ボックスの壁部に、窓若しくは開口穴を設けることにより通気性を確保することが可能になるが、開口した箇所から音が通過し、その結果、外部の音が侵入し、または通話内容が外部に漏れてしまう。
【０００７】
そこで、本発明は、以上のような事情に鑑みてなされたものであり、その目的は、高価な空調装置を設けることなく、快適でかつ外部から侵入する音を少なくすることが可能なボックスを提供することにある。
【課題を解決するための手段】
【０００８】
上記課題を解決するため、本発明のボックスは、以下のような解決手段を提供する。
【０００９】
（１）本発明のボックスは、通気と防音を兼ね備えるボックスであって、周囲との間を区画し、複数の開口を有する壁部と、前記壁部の各開口に、外部と内部の空間を連通するように設けられた通気防音部材と、を備え、前記複数の開口が前記壁部の上部領域と下部領域に分かれて配置されることを特徴とする。
【００１０】
（２）本発明のボックスは、（１）に記載のボックスであって、前記壁部が、その少なくとも一部に、外部に面する第１の壁部と、前記第１の壁部との間に間隙を介して併設される内部に面する第２の壁部とを含む二重構造を有し、前記開口が前記第１の壁部に設けられた第１の開口と、前記第２の壁部に設けられた第２の開口と、から構成されてもよい。
【００１１】
（３）本発明のボックスは、（２）に記載のボックスであって、前記通気防音部材が、前記第１の壁部を挿通して設けられる第１の通気防音部材と、前記第２の壁部を挿通して設けられる第２の通気防音部材から構成され、前記第１の通気防音部材と前記第２の通気防音部材が連結されて設けられてもよい。
【００１２】
（４）本発明のボックスは、（３）に記載のボックスであって、前記通気防音部材が、中空の筒部と、前記筒部に設けられた拡開部を有し、前記第１の通気防音部材の前記拡開部は、前記第１の壁部に対して外部側に向いており、前記第２の通気防音部材の前記拡開部は、前記第２の壁部に対して外部側に向いて連結されてもよい。
【００１３】
（５）本発明のボックスは、（２）に記載のボックスであって、前記通気防音部材が、前記第１の壁部を挿通して設けられる第１の通気防音部材と、前記第２の壁部を挿通して設けられる第２の通気防音部材から構成され、前記第１の通気防音部材と、前記第２の通気防音部材が互い違いに離間されて設けられてもよい。
【００１４】
（６）本発明のボックスは、（５）に記載のボックスであって、前記通気防音部材が、中空の筒部と、前記筒部に設けられた拡開部を有し、前記第１の通気防音部材の前記拡開部は、前記第１の壁部に対して外部側に向いており、前記第２の通気防音部材の前記拡開部は、前記第２の壁部に対して内部側に向いていてもよい。
【００１５】
（７）本発明のボックスは、（５）又は（６）に記載のボックスであって、前記第１の壁部と前記第２の壁部の間に、前記第１の壁部及び前記第２の壁部の一方から他方に向かって、他方とは離間する位置まで伸在する遮蔽板を備えてもよい。
【００１６】
（８）本発明のボックスは、（１）ないし（７）のいずれかに記載のボックスであって、前記下部領域が前記上部領域よりも大きい開口率を有してもよい。
【００１７】
（９）本発明のボックスは、（１）ないし（８）のいずれかに記載のボックスであって、前記上部領域と前記下部領域が前記壁部の上下端側よりも中央部側において小さい開口率を有してもよい。
【００１８】
（１０）本発明の別の態様に係るボックスであって、通気と防音を兼ね備えるボックスであって、周囲との間を区画し、複数の開口を有する天井部と、前記天井部の各開口に、外部と内部の空間を連通するように設けられた通気防音部材と、を備えることを特徴とする。
【００１９】
（１１）本発明のボックスは、（１０）に記載のボックスであって、前記天井部が、その少なくとも一部に、外部に面する第１の天井部と、前記第１の天井部との間に間隙を介して併設される内部に面する第２の天井部とを含む二重構造を有し、前記開口が前記第１の天井部に設けられた第１の開口と、前記第２の天井部に設けられた第２の開口と、から構成されてもよい。
【００２０】
（１２）本発明のボックスは、（１１）に記載のボックスであって、前記通気防音部材が、前記第１の天井部を挿通して設けられる第１の通気防音部材と、前記第２の天井部を挿通して設けられる第２の通気防音部材から構成され、前記第１の通気防音部材と前記第２の通気防音部材が連結されて設けられてもよい。
【００２１】
（１３）本発明のボックスは、（１２）に記載のボックスであって、前記通気防音部材が、中空の筒部と、前記筒部に設けられた拡開部を有し、前記第１の通気防音部材の前記拡開部は、前記第１の天井部に対して外部側に向いており、前記第２の通気防音部材の前記拡開部は、前記第２の天井部に対して内部側に向いて連結されてもよい。
【００２２】
（１４）本発明のボックスは、（１１）に記載のボックスであって、前前記通気防音部材が、前記第１の天井部を挿通して設けられる第１の通気防音部材と、前記第２の天井部を挿通して設けられる第２の通気防音部材から構成され、前記第１の通気防音部材と、前記第２の通気防音部材が互い違いに離間されて設けられてもよい。
【００２３】
（１５）本発明のボックスは、（１４）に記載のボックスであって、前記通気防音部材が、中空の筒部と、前記筒部に設けられた拡開部を有し、前記第１の通気防音部材の前記拡開部は、前記第１の天井部に対して外部側に向いており、前記第２の通気防音部材の前記拡開部は、前記第２の天井部に対して外部側に向いてもよい。
【００２４】
（１６）本発明のボックスは、（１４）又は（１５）に記載のボックスであって、前記第１の天井部と前記第２の天井部の間に、前記第１の天井部及び前記第２の天井部の一方から他方に向かって、他方とは離間する位置まで伸在する遮蔽板を備えてもよい。
【００２５】
（１７）本発明のボックスは、（１）ないし（１６）のいずれかに記載のボックスであって、内部の騒音レベルを外部の騒音レベルから１０〜４０ｄＢ低下させてもよい。
【００２６】
（１８）本発明のボックスは、（１）ないし（１６）のいずれかに記載のボックスであって、前記壁部が、その少なくとも一部に、外部から内部を視認できる視認領域を有してもよい。
【００２７】
（１９）本発明のボックスは、（１）ないし（１６）のいずれかに記載のボックスであって、前記壁部に設けられたドア部をさらに備え、前記ドア部が不使用時に前記ドア部を開放状態に維持する付勢部を有してもよい。
【００２８】
（２０）本発明のボックスは、（１）ないし（１６）のいずれかに記載のボックスであって、騒音を打ち消す消音装置をさらに備えてもよい。
【発明の効果】
【００２９】
本発明によれば、高価な空調装置を設けることなく、快適でかつ外部から侵入する音を少なくすることが可能なボックスを提供することができる。
【図面の簡単な説明】
【００３０】
【図１】本発明の第１実施形態に係るボックスの斜視図である。
【図２】本発明の第１実施形態に係るボックスの構成図である。
【図３】本発明の第１実施形態に係るボックスの扉が開いた状態の構成図である。
【図４】図４（ａ）は、本発明の第１実施形態に係るボックスの本体の縦断面図である。図４（ｂ）は、図４（ａ）の符号Ｂの部分拡大図である。
【図５】図５（ａ）は、本発明の第１実施形態に係る通気防音部材の模式図である。図５（ｂ）は、本発明の第１実施形態に係る通気防音部材の構成図である。
【図６】２重構造の壁部に互い違いに通気防音部材を設けたボックスの本体の縦断面図である。
【図７】本発明の第２実施形態に係るボックスの構成図である。
【図８】本発明の第３実施形態に係るボックスの構成図である。
【図９】本発明の第４実施形態に係るボックスの斜視図である。
【発明を実施するための形態】
【００３１】
以下、添付図面を参照して、本発明を実施するための形態（以下、実施形態という）について詳細に説明する。なお、実施形態の説明の全体を通して同じ要素には同じ番号を付している。
【００３２】
（第１実施形態）
図１は、本発明の第１実施形態に係るボックスの斜視図である。図２は、本発明の第１実施形態に係るボックスの構成図であり、（ａ）は上面図、（ｂ）は正面図、（ｃ）は右側面図、（ｄ）は左側面図、（ｅ）は背面図を示す。図３は、本発明の第１実施形態に係るボックスの扉が開いた状態の構成図であり、（ａ）は上面図、（ｂ）は正面図を示す。
【００３３】
以下、図１〜図３を参照しながら本発明の第１実施形態に係るボックスの構成について詳細に説明する。図１に示すように、本実施形態のボックス１は、通気と防音を兼ね備えるボックス１であって、周囲との間を区画し、複数の開口１５を有する壁部１１と、壁部１１の各開口１５に、外部と内部の空間を連通するように設けられた通気防音部材２０（図１の拡大図Ａ）と、壁部１１の上方を塞ぐ天井部４０から構成されている。また、ボックス１の壁部１１は、複数個の開口１５が設けられ、複数の開口１５が壁部１１の上部領域１４と下部領域１３に分かれて配置される。なお、天井部４０は、環境に応じて設置することとし、例えば、騒音が小さい場所や、周囲の温度が高い場所等では、天井部４０を有さずに開口していてもよい。
【００３４】
壁部１１は、周囲を覆うように設けられる壁部１１（１１ａ〜１１ｃ）を有している。側壁部１１ａと、側壁部１１ａに対向して配置される側壁部１１ｂには、その少なくとも一部に、外側から内側を視認できる視認領域１２を有する。また、視認領域１２の下方側には、複数の開口１５を有する下部領域１３が設けられ、視認領域１２の上方側には、複数の開口１５を有する上部領域１４が設けられている。
【００３５】
壁部１１は、図２（ｃ）、（ｄ）の側面図と図２（ｅ）の背面図に示す背面壁部１１ｃと、側壁部１１ａ、１１ｂとがコの字の形状に一体となって構成されている。また、図２（ｂ）に示すように、ボックス１の背面壁部１１ｃに開口１５を閉鎖する前面ドア部１６が取り付けられている。
【００３６】
この前面ドア部１６の一端は、側壁部１１ｂの一端に回動自在に取り付けられている。図１及び図２（ｂ）に示すように、前面ドア部１６は、その中央に折り畳み部１８を有し、この折り畳み部１８がボックス１の内側へ変位（折り畳まれる）することにより、折り戸として機能する。この場合、折り畳み部１８に、例えば、バネ等の付勢部１７が内蔵され、バネの付勢によって、通常時は側壁部１１ｂ側に折り畳まれた状態で配置される。すなわち、前面ドア部１６は、ボックス１の不使用時に開放状態を維持する。閉鎖させる場合には、バネの付勢力に抗して、前面ドア部１６の一端を側壁部１１ａ側へ引っ張り、側壁部１１ａに設けられたロック機構（図示せず）によって係止されるようになっている。
【００３７】
視認領域１２は、対向して位置する側壁部１１ａ、１１ｂに設けられ、外部から内部を視認出来るように、例えば透明な硝子で形成されている。また、視認領域１２は、防音硝子を使用することが好ましく、例えば、２枚の硝子を設け、音の振動を軽減するために硝子間に防音フィルムを設けることで、外部若しくは内部からの遮音効果が期待できる。防音フィルムとして、例えば、ポリエステル繊維が用いられる。なお、視認領域１２の設置箇所は、側壁部１１ａ、１１ｂを上部領域１４と下部領域１３の間に制限されず、例えば、壁部１１の全体に設けてもよいし、後述する前面ドア部１６に設けてもよい。
【００３８】
下部領域１３及び上部領域１４は、空気や風、若しくは、光を通す領域であり、その領域内に開口１５として円形の穴が複数並んで設けられている。開口１５の下部領域１３が上部領域１４よりも大きい開口率（開口面積／表面積）を有するように設定する。または、上部領域１４と下部領域１３が壁部１１の上下端側よりも中央部側において小さい開口率を有するように設定する。さらに、通気防音部材２０に後述する拡開部２０ａ、２０ｂと筒部２０ｃを有することで、空気の流入速度と量が増加することが可能になる。
【００３９】
なお、室内に本実施形態に係るボックス１を設置し、壁部１１の開口１５の開口率を０％〜１．６％に設定し、実験を行った。
【００４０】
【表１】
2016017379.tif 000003
【００４１】
この結果、表１に示すように開口率を０．４％以上設けることでボックス１内の温度上昇を効果的に抑えることができる。
【００４２】
図４（ａ）は、本発明の第１実施形態に係るボックスの本体の縦断面図である。図４（ｂ）は、図４（ａ）の符号Ｂの部分拡大図である。図５（ａ）は、本発明の第１実施形態に係るボックスの通気防音部材の模式図である。図５（ｂ）は、本発明の第１実施形態に係るボックスの通気防音部材の構成図である。以下、図４と図５を参照しながら、本発明の第１実施形態に係るボックスの通気及び防音の仕組みについて説明する。
【００４３】
図４（ａ）、（ｂ）に示すように、壁部１１は、その少なくとも一部に、外部に面する第１の壁部１１０ａと、第１の壁部１１０ａとの間に間隙を介して併設される内部に面する第２の壁部１１０ｂとを含む二重構造になっている。また、二重構造は、開口１５が第１の壁部１１０ａに設けられた第１の開口と、第２の壁部１１０ｂに設けられた第２の開口と、から構成され、各開口１５には、通気防音部材２０が取り付けられる。なお、通気防音部材２０は、壁部１１と一体成形であってもよい。
【００４４】
通気防音部材２０は、第１の壁部１１０ａを挿通して設けられる第１の通気防音部材と、第２の壁部１１０ｂを挿通して設けられる第２の通気防音部材から構成され、第１の通気防音部材と前記第２の通気防音部材が連結されて設けられる。
【００４５】
通気防音部材２０は、中空の筒部２０ｃと、筒部２０ｃに設けられた拡開部２０ａを有し、第１の通気防音部材の拡開部２０ａは、第１の壁部１１０ａに対して外部側に向いており、第２の通気防音部材の拡開部２０ｂは、第２の壁部１１０ｂに対して外部側に向いて連結される。
【００４６】
通気防音部材２０は、例えば、図５（ａ）に示すように、通気防音部材２０が、中空の筒部２０ｃと、筒部２０ｃの第１の側に設けられた第１の拡開部２０ａと、筒部２０ｃの第１の側と反対の第２の側に設けられた第２の拡開部２０ｂとを有する。このようにすることで、２枚の壁の間の空気層が遮音効果を高めることができる。また、空間１９内に通気性、遮光性の高い防音フィルムを形成してもよい。
【００４７】
通気防音部材２０は、透明部材、若しくは半透明部材で形成され、採光し、音波が反射するものであればよく、例えば、アクリル、ゴム部材で形成され、筒部２０ｃを通り、外部からの光を内部に取り入れ可能になっている。また、通気防音部材２０は、空気及び光の通過を反射させる拡開部２０ａ、２０ｂを有し、例えば、テーパ形状、湾曲形状に形成されている。通気防音部材２０に拡開部２０ａ、２０ｂを設けることによって、外部若しくは内部から伝播する音波を上記形状面で反射する。このため、通過する音波は減衰し、単位面積あたりの伝播通過量を減少させることができ、反射が繰り返されることによって伝播する通過音のエネルギーが削減される。また、通過した音波は、拡開部２０ａ、２０ｂによって拡散され、したがってエネルギーが減衰される。さらに、中空の筒部２０ｃを設けることによって、筒部２０ｃを通過する外部からの音波と内部からの音波が衝突することで音によるエネルギーが減少される。なお、環境に応じて拡開部（２０ａ、２０ｂ）は、両側に設けなくてもよく、いずれか１つ備えていればよい。
【００４８】
通気防音部材２０は、一体形成であってもよいし、例えば、図５（ｂ）に示すように、通気防音部材２０は、第１の拡開部２０ａ又は第２の拡開部２０ｂを有するオス部２０ｄと、オス部２０ｄに対応して第２の拡開部２０ｂ又は第１の拡開部２０ａを有するメス部２０ｅとを有し、オス部２０ｄとメス部２０ｅが着脱可能に取り付けられる。なお、着脱方法は、特に限定しなくてもよく、例えば、螺合及び嵌合することによって着脱する。このように構成することで、既設されているボックスにおいても、壁部を開口し、壁部の厚みに合わせた通気防音部材２０を利用することで簡単に取り付けが可能となる。
【００４９】
また、図６に示すように、通気防音部材２０が、第１の壁部１１０ａを挿通して設けられる第１の通気防音部材と、前記第２の壁部１１０ｂを挿通して設けられる第２の通気防音部材から構成され、第１の通気防音部材と、第２の通気防音部材が互い違いに離間されて設けられてもよい。この場合、通気防音部材２０は、中空の筒部２０ｃと、筒部２０ｃに設けられた拡開部を有し、第１の通気防音部材の拡開部は、第１の壁部１１０ａに対して外部側に向いており、第２の通気防音部材の拡開部は、第２の壁部１１０ｂに対して内部側に向いている。さらに、第１の壁部１１０ａと第２の壁部１１０ｂの間に、第１の壁部１１０ａ及び第２の壁部１１０ｂの一方から他方に向かって、他方とは離間する位置まで伸在する遮蔽板５０を備える。このようにすることで、防音効果を更に向上できる。なお、一方側に拡開部が設けられている例で説明したが、環境に応じて、両側に拡開部を設けてもよい。
【００５０】
また、ボックス１の内部に、騒音を打ち消す消音装置３０が設けられている。例えば、ボックス１の壁部１１の外側に騒音源の音を集音するマイク３０ａを設け、その音と逆相成分になる音を壁部１１の内部に設置されたスピーカ３０ｂから放出する消音装置３０を用いることで、さらなる防音効果を期待できる。
【００５１】
第１実施形態に係るボックス１に上記した防音機能を取り入れることで、外部の騒音レベルと内部の騒音レベルとの差異を１０〜４０ｄＢ低下させることが期待できる。人が感じる音量差は、１０ｄＢの増加で約２倍の変化が生じるため、通気防音効果を体感することが出来、快適で、かつ外部から侵入する音を削減可能なボックス１を提供することができる。
【００５２】
（第２実施形態）
図７は、本発明の第２実施形態に係るボックス１の（ａ）は上面図、（ｂ）は扉が開いている状態の正面図、（ｃ）は左側面図、（ｄ）は背面図、（ｅ）は扉が閉じている状態の正面図である。第１実施形態では、四角形状であった壁部１１を、第２実施形態では円形状にした。円形状にすることで通過音が全方位に反射し、このため、伝播する通過音のエネルギー消費が増大し、単位面積当たりの伝播通過音が減少して防音効果が増す他に、意匠面でも利用者へ存在をアピールすることができる。
【００５３】
（第３実施形態）
図８は、本発明の第３実施形態に係るボックス１の正面図、（ｂ）は平面図、（ｃ）は左側面図、（ｄ）は右側面図、（ｅ）は背面図である。第１実施形態では、四角形状であった壁部１１を、第３実施形態では扇状にした。ボックス１を扇形状にすることで、例えば、駅の構内の角のスペース等に設置が可能となり、レイアウトが容易になる他、意匠面でも利用者に存在をアピールすることができる。
【００５４】
（第４実施形態）
図９は、本発明の第４実施形態に係るボックスの斜視図である。図９示すように、通気と防音を兼ね備えるボックス１であって、周囲との間を区画し、複数の開口を有する天井部４０と、天井部４０の各開口１５に、外部と内部の空間を連通するように設けられた通気防音部材２０と、を備える。また、天井部４０が、その少なくとも一部に、外部に面する第１の天井部と、第１の天井部との間に間隙を介して併設される内部に面する第２の天井部とを含む二重構造を有し、開口１５が第１の天井部に設けられた第１の開口と、第２の天井部に設けられた第２の開口と、から構成される。なお、底面側は、開口している。二重構造及び通気防音部材２０の構成は、第１実施形態と同様のため説明は省略する。
【００５５】
第４実施形態では、天井部４０を設け、天井部４０に設けられた開口１５に通気防音部材２０を取付けることにより、天井からの音の遮音が可能となる。また、天井部４０に取り付けられた通気防音部材２０によって、採光するため、天井を設置による遮光は軽減される。
【００５６】
（実施形態の効果）
以上説明のように本実施形態によれば、高価な空調装置を設けることなく、快適でかつ外部から入り込む音を少なくできるボックス１を提供することができる。また、本実施形態においては、電話用ボックスを例に挙げて説明したが、通気性と防音を必要とするボックスであればよく、例えば、音楽スタジオ、ミーティングルーム、喫煙ルームであってもよい。
【００５７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５８】
１                ボックス
１１              壁部
１１ａ、１１ｂ    側壁部
１１ｃ            背面壁部
１２              視認領域
１３              下部領域
１４              上部領域
１５              開口
１６              ドア部
１７              付勢部
１８              折り畳み部
１９              空間
２０              通気防音部材
２０ａ            第１の拡開部
２０ｂ            第２の拡開部
２０ｃ            筒部
３０              消音装置
３０ａ            マイク
３０ｂ            スピーカ
４０              天井部
５０              遮蔽板
１１０ａ          第１の壁部
１１０ｂ          第２の壁部
【図１】
2016017379.tif 000004
【図２】
2016017379.tif 000005
【図３】
2016017379.tif 000006
【図４】
2016017379.tif 000007
【図５】
2016017379.tif 000008
【図６】
2016017379.tif 000009
【図７】
2016017379.tif 000010
【図８】
2016017379.tif 000011
【図９】
2016017379.tif 000012